【手続補正書】
【提出日】平成16年7月29日(2004.7.29)
【手続補正１】
【補正対象書類名】明細書
【補正対象項目名】特許請求の範囲
【補正方法】変更
【補正の内容】
【特許請求の範囲】
【請求項１】
コンプレッサーからの吸気で作動するガスタービンを備え、ガスタービンの燃料に使用する液化燃料の蒸発熱で、夏期に加えて、春期及び又は秋期に吸気を冷却するガスタービンプラントにおいて、
液化燃料蒸発器と第２冷却部及び吸気冷却部を有し、
液化燃料蒸発器では液化燃料を蒸発させて冷熱を発生し、
第２冷却部では上記冷熱で海水などを冷却し、
そして吸気冷却部では上記冷熱で該コンプレッサー吸気を冷却し、
液化燃料の蒸発で生じた冷熱は、吸気冷却部側と第２冷却部側との両方に冷却媒体を用いて供給し、
そして供給する冷熱を冷却媒体の流量を分けることで、第２冷却部と吸気冷却部とに任意の割合に直接配分し、
吸気冷却部に配分した冷熱は吸気冷却部で使用し、その冷却媒体は第２冷却部を経由することなく液化燃料蒸発部に戻り、
夏期に加えて、春期及び又は秋期に吸気冷却することを特徴とするガスタービンプラント。
【請求項２】
コンプレッサーからの吸気で作動するガスタービンを備え、ガスタービンの燃料に使用する液化燃料の蒸発熱で吸気を冷却するガスタービンプラントにおいて、
液化燃料蒸発器と第２冷却部及び吸気冷却部を有し、
液化燃料蒸発器では液化燃料を蒸発させて冷熱を発生し、
第２冷却部では上記冷熱で海水などを冷却し、
第２冷却部の冬期における冷却能力は、吸気冷却部への冷熱供給を停止しても上記冷熱を全量処理できる冷却容量を有し、
そして吸気冷却部では上記冷熱で該コンプレンサー吸気を冷却し、
吸気冷却部の夏期電力ピーク時における冷却能力は、該ガスタービンの燃料分の蒸発冷熱を殆どまたは全て処理できる冷却容量を有し、
液化燃料の蒸発で生じた冷熱は、冷却媒体の流量を分けることで、吸気冷却部側と第２冷却部側の両方に極低温で直接配分することを特徴とするガスタービンプラント。
【請求項３】
コンプレッサーからの吸気で作動するガスタービンを備え、ガスタービンの燃料に使用する液化燃料の蒸発熱で吸気を冷却するガスタービンプラントにおいて、
液化燃料蒸発器と第２冷却部及び吸気冷却部を有し、
液化燃料蒸発器では液化燃料を蒸発させて冷熱を発生し、
第２冷却部では上記冷熱で海水などを冷却し、
そして吸気冷却部では上記冷熱で該コンプレッサー吸気を冷却し、
液化燃料の蒸発で生じた冷熱は、冷却媒体の流量を分けることで吸気冷却部と第２冷却部とに温度が氷点以下で直接配分し、
吸気冷却部では上記冷熱で該コンプレッサー吸気を冷却するが、吸気を冷却する温度は氷点より高くすることを特徴とするガスタービンプラント
【請求項４】
コンプレッサーからの吸気で作動するガスタービンを備え、ガスタービンの燃料に使用する液化燃料の蒸発熱で、夏期に加えて、春期及び又は秋期に吸気を冷却するガスタービンプラントにおいて、
液化燃料蒸発器と第２冷却部及び吸気冷却部を有し、
液化燃料蒸発器では液化燃料を蒸発させて冷熱を発生し、
第２冷却部では上記冷熱で海水などを冷却し、
そして吸気冷却部では上記冷熱で該コンプレッサー吸気を冷却し、
液化燃料の蒸発で生じた冷熱は、吸気冷却部側と第２冷却部側との両方に供給でき、
そして液化燃料蒸発器から吸気冷却部に供給する冷熱は、吸気冷却部の温度信号により冷却媒体を流量調整して吸気冷却部に送り、
そして残冷熱を第２冷却部に供給することを特徴とする夏期に加えて、春期及び又は秋期に吸気冷却するガスタービンプラント。
【請求項５】
コンプレッサーからの吸気で作動するガスタービンを備え、ガスタービンの燃料に使用する液化燃料の蒸発熱で春期及び又は秋期に吸気を冷却するガスタービンプラントの吸気冷却方法において、
液化燃料蒸発器と第２冷却部及び吸気冷却部を有し、
液化燃料蒸発器では液化燃料を蒸発させて冷熱を発生し、
第２冷却部では上記冷熱で海水などを冷却し、
そして吸気冷却部では上記冷熱で該コンプレッサー吸気を冷却し、
液化燃料の蒸発で生じた冷熱は、吸気冷却部側と第２冷却部側との両方に供給でき、
該ガスタービンの運転開始時においては、上記冷熱は第２冷却部で実質的に全て処理し、そして、該ガスタービンが立ち上がった後に吸気冷却部側に冷熱を配分することを特徴とする春期及び又は秋期に吸気を冷却するガスタービンプラントの吸気冷却方法。
【請求項６】
ガスタービンの燃料に使用する液化燃料の蒸発熱で吸気を冷却するガスタービンプラントの春期及び又は秋期の吸気冷却方法において、
液化燃料蒸発器と第２冷却部及び吸気冷却部を有し、
液化燃料蒸発器では液化燃料を蒸発させて冷熱を発生し、
第２冷却部では上記冷熱で海水などを冷却し、
そして吸気冷却部では上記冷熱で該コンプレンサー吸気を冷却し、
そして液化燃料蒸発器から吸気冷却部に供給する冷熱は、冷却する媒体の流量を分けることで吸気冷却部に送り、残冷熱を第２冷却部に供給し、
吸気冷却部に配分した冷熱は吸気冷却部で使用し、その冷却する媒体は第２冷却部を経由することなく液化燃料蒸発器に戻り、
ガスタービンの全負荷時で比較して、春期及び又は秋期には、吸気冷却部への冷熱の供給量を、夏期より少なくすることを特徴とする春期及び又は秋期に吸気冷却するガスタービンプラントの吸気冷却方法。
【請求項７】
コンプレッサーからの吸気で作動するガスタービンを備え、ガスタービンの燃料に使用する液化燃料の蒸発熱で吸気を冷却するガスタービンプラントにおいて、
吸気冷却部において、吸気を一旦冷却した冷却媒体を、温度がより低い冷却媒体と混合し、混合したこの冷却媒体でさらに吸気を冷却することを特徴とするガスタービンプラント。
【請求項８】
コンプレッサーからの吸気で作動するガスタービンを備え、
ガスタービンの燃料に使用する液化燃料の蒸発熱で吸気を冷却するガスタービンプラントにおいて、
液化燃料蒸発器と第２冷却部及び吸気冷却部を有し、
液化燃料蒸発器では液化燃料を蒸発させて冷熱を発生し、
第２冷却部では上記冷熱で海水などを冷却し、
そして吸気冷却部では上記冷熱で該コンプレッサー吸気を冷却し、
液化燃料蒸発器及び第２冷却部で独立した冷却循環経路を有し、
第２冷却部の冬期における冷却能力は、吸気冷却部への冷熱供給を停止しても上記冷熱を全量処理できる冷却容量を有し、
そして吸気冷却部側は、独立した冷却循環経路を有し、
燃料蒸発器からの冷却媒体は、燃料蒸発部と第２冷却部の間の熱交換器で吸気冷却部側へ冷熱を任意配分でき、
残冷熱は第２冷却部に供給することを特徴とするガスタービンプラント。
【請求項９】
コンプレッサーからの吸気で作動するガスタービンを備え、ガスタービンの燃料に使用する液化燃料の蒸発熱で、夏期に加えて、春期及び又は秋期に吸気冷却するガスタービンプラントにおいて、
液化燃料蒸発器と第２冷却部及び吸気冷却部を有し、
液化燃料蒸発器では液化燃料を蒸発させて冷熱を発生し、
第２冷却部では上記冷熱で海水などを冷却し、
そして吸気冷却部では上記冷熱で該コンプレッサー吸気を冷却し、
液化燃料の蒸発で生じた冷熱は、吸気冷却部側と第２冷却部側の両方に供給でき、
そして液化燃料蒸発器から吸気冷却部に供給する冷熱は、吸気の冷却前の温度からなる温度信号により冷却する媒体を流量調整して吸気冷却部に送り、残冷熱を第２冷却部に供給することを特徴とする夏期に加えて、春期及び又は秋期に吸気冷却するガスタービンプラント。
【請求項１０】
コンプレンサーからの吸気で作動するガスタービンを備え、ガスタービンの燃料に使用する液化燃料の蒸発熱で、夏期に加えて、春期及び又は秋期に吸気冷却するガスタービンプラントにおいて、
液化燃料蒸発器と第２冷却部及び吸気冷却部を有し、
液化燃料蒸発器では液化燃料を蒸発させて冷熱を発生し、
第２冷却部では上記冷熱で海水などを冷却し、
そして吸気冷却部では上記冷熱で該コンプレッサー吸気を冷却し、
液化燃料の蒸発で生じた冷熱は、吸気冷却部側と第２冷却部側の両方に供給でき、
そして液化燃料蒸発器から吸気冷却部に供給する冷熱は、吸気の冷却後の温度からなる温度信号により冷却する媒体を流量調整して吸気冷却部に送り、残冷熱を第２冷却部に供給することを特徴とする夏期に加えて、春期及び又は秋期吸気冷却するガスタービンプラント。
【請求項１１】
コンプレッサーからの吸気で作動するガスタービンを備え、ガスタービンの燃料に使用する液化燃料の蒸発熱で、夏期に加えて、春期及び又は秋期に吸気冷却するガスタービンプラントにおいて、
液化燃料蒸発器と第２冷却部及び吸気冷却部を有し、
液化燃料蒸発器では液化燃料を蒸発させて冷熱を発生し、
第２冷却部では上記冷熱で海水などを冷却し、
そして吸気冷却部では上記冷熱で該コンプレッサー吸気を冷却し、
液化燃料の蒸発で生じた冷熱は、吸気冷却部側と第２冷却部側の両方に供給でき、
そして液化燃料蒸発器から吸気冷却部に供給する冷熱は、冷却管を流れる媒体の温度からなる温度信号により冷却する媒体を流量調整して吸気冷却部に送り、残冷熱を第２冷却部に供給することを特徴とする夏期に加えて、春期及び又は秋期に吸気冷却するガスタービンプラント。
【請求項１２】
請求項８において
熱交換器から出た冷却媒体を、第２冷却部を経由しないで液化燃料蒸発器に導くバイパス路、
及び又は、液化燃料蒸発器から出た冷却媒体を、熱交換器を経由しないで第２冷却部に導くバイパス路を有することを特徴とするガスタービンプラント。
【手続補正２】
【補正対象書類名】明細書
【補正対象項目名】０００８
【補正方法】変更
【補正の内容】
【０００８】
【課題を解決するための手段】請求項１では、コンプレッサーからの吸気で作動するガスタービンを備え、ガスタービンの燃料に使用する液化燃料の蒸発熱で、夏期に加えて、春期及び又は秋期に吸気を冷却するガスタービンプラントにおいて、液化燃料蒸発器と第２冷却部及び吸気冷却部を有し、液化燃料蒸発器では液化燃料を蒸発させて冷熱を発生し、第２冷却部では上記冷熱で海水などを冷却し、そして吸気冷却部では上記冷熱で該コンプレッサー吸気を冷却し、液化燃料の蒸発で生じた冷熱は、吸気冷却部側と第２冷却部側との両方に冷却媒体を用いて供給し、そして供給する冷熱を冷却媒体の流量を分けることで、第２冷却部と吸気冷却部とに任意の割合に直接配分し、吸気冷却部に配分した冷熱は吸気冷却部で使用し、その冷却媒体は第２冷却部を経由することなく液化燃料蒸発部に戻り、夏期に加えて、春期及び又は秋期に吸気冷却することを特徴とするガスタービンプラントからなる。


【手続補正３】
【補正対象書類名】明細書
【補正対象項目名】０００９
【補正方法】変更
【補正の内容】
【０００９】上記の構成により冷却媒体を任意に配分することで、吸気冷却部を春期（概略４，５月）、夏期（概略６〜８月）、秋期（概略９、１０月）にかけて使用できる。


【手続補正４】
【補正対象書類名】明細書
【補正対象項目名】００１３
【補正方法】変更
【補正の内容】
【００１３】請求項２では、コンプレッサーからの吸気で作動するガスタービンを備え、ガスタービンの燃料に使用する液化燃料の蒸発熱で吸気を冷却するガスタービンプラントにおいて、液化燃料蒸発器と第２冷却部及び吸気冷却部を有し、液化燃料蒸発器では液化燃料を蒸発させて冷熱を発生し、第２冷却部では上記冷熱で海水などを冷却し、第２冷却部の冬期における冷却能力は、吸気冷却部への冷熱供給を停止しても上記冷熱を全量処理できる冷却容量を有し、そして吸気冷却部では上記冷熱で該コンプレッサー吸気を冷却し、吸気冷却部の夏期電力ピーク時における冷却能力は、該ガスタービンの燃料分の蒸発冷熱を殆どまたは全て処理できる冷却容量を有し、液化燃料の蒸発で生じた冷熱は、冷却媒体の流量を分けることで、吸気冷却部側と第２冷却部側の両方に極低温で直接配分することを特徴とするガスタービンプラントからなる。


【手続補正５】
【補正対象書類名】明細書
【補正対象項目名】００１５
【補正方法】変更
【補正の内容】
【００１５】請求項３では、コンプレッサーからの吸気で作動するガスタービンを備え、ガスタービンの燃料に使用する液化燃料の蒸発熱で吸気を冷却するガスタービンプラントにおいて、液化燃料蒸発器と第２冷却部及び吸気冷却部を有し、液化燃料蒸発器では液化燃料を蒸発させて冷熱を発生し、第２冷却部では上記冷熱で海水などを冷却し、そして吸気冷却部では上記冷熱で該コンプレッサー吸気を冷却し、液化燃料の蒸発で生じた冷熱は、冷却媒体の流量を分けることで吸気冷却部と第２冷却部とに温度が氷点以下で直接配分し、吸気冷却部では上記冷熱で該コンプレッサー吸気を冷却するが、吸気を冷却する温度は氷点より高くすることを特徴とするガスタービンプラントからなる。


【手続補正６】
【補正対象書類名】明細書
【補正対象項目名】００１６
【補正方法】変更
【補正の内容】
【００１６】氷点下より低い温度の冷却媒体を液化燃料蒸発部から送り出すので、供給量を少なくでき配管径を小さくできる。そして供給を受けた冷熱の温度より高い温度で対象物を冷却できる。したがって、対象物の凍結を防止できる。


【手続補正７】
【補正対象書類名】明細書
【補正対象項目名】００１７
【補正方法】変更
【補正の内容】
【００１７】請求項４では、コンプレッサーからの吸気で作動するガスタービンを備え、ガスタービンの燃料に使用する液化燃料の蒸発熱で、夏期に加えて、春期及び又は秋期に吸気を冷却するガスタービンプラントにおいて、液化燃料蒸発器よ第２冷却部及び吸気冷却部を有し、液化燃料蒸発器では液化燃料を蒸発させて冷熱を発生し、第２冷却部では上記冷熱で海水などを冷却し、そして吸気冷却部では上記冷熱で該コンプレッサー吸気を冷却し、液化燃料の蒸発で生じた冷熱は、吸気冷却部側と第２冷却部側との両方に供給でき、そして液化燃料蒸発器から吸気冷却部に供給する冷熱は、吸気冷却部の温度信号により冷却媒体を流量調整して吸気冷却部に送り、そして残冷熱を第２冷却部に供給することを特徴とする夏期に加えて、春期及び又は秋期に吸気冷却するガスタービンプラントからなる。この構成により、コンプレッサー吸気中の水分を凍結しない温度にコントロールでき、また吸気冷却部の最低温度を０℃に設定すると、冷熱を最大限活用できる。


【手続補正８】
【補正対象書類名】明細書
【補正対象項目名】００１８
【補正方法】変更
【補正の内容】
【００１８】請求項５では、コンプレッサーからの吸気で作動するガスタービンを備え、ガスタービンの燃料に使用する液化燃料の蒸発熱で春期及び又は秋期に吸気を冷却するガスタービンプラントの吸気冷却方法において、液化燃料蒸発器と第２冷却部及び吸気冷却部を有し、液化燃料蒸発器では液化燃料を蒸発させて冷熱を発生し、第２冷却部では上記冷熱で海水などを冷却し、そして吸気冷却部では上記冷熱で該コンプレッサー吸気を冷却し、液化燃料の蒸発で生じた冷熱は、吸気冷却部側と第２冷却部側との両方に供給でき、該ガスタービンの運転開始時においては、上記冷熱は第２冷却部で実質的に全て処理し、そして、該ガスタービンが立ち上がった後に吸気冷却部側に冷熱を配分することを特徴とする春期及び又は秋期に吸気冷却するガスタービンプラントの吸気冷却方法からなる。


【手続補正９】
【補正対象書類名】明細書
【補正対象項目名】００２０
【補正方法】変更
【補正の内容】
【００２０】請求項６では、ガスタービンの燃料に使用する液化燃料の蒸発熱で吸気を冷却するガスタービンプラントの春期及び又は秋期の吸気冷却方法において、液化燃料蒸発器と第２冷却部及び吸気冷却部を有し、液化燃料蒸発器では液化燃料を蒸発させて冷熱を発生し、第２冷却部では上記冷熱で海水などを冷却し、そして吸気冷却部では上記冷熱で該コンプレッサー吸気を冷却し、そして液化燃料蒸発器から吸気冷却部に供給する冷熱は、冷却する媒体の流量を分けることで吸気冷却部に送り、残冷熱を第２冷却部に供給し、吸気冷却部に配分した冷熱は吸気冷却部で使用し、その冷却する媒体は第２冷却部を経由することなく液化燃料蒸発器に戻り、ガスタービンの全負荷時で比較して、春期及び又は秋期には、吸気冷却部への冷熱の供給量を、夏期より少なくすることを特徴とする春期及び又は秋期に吸気冷却するガスタービンプラントの吸気冷却方法からなる。この構成により吸気冷却部における冷却媒体が熱を吸収する伝熱面積を少なくできる。


【手続補正１０】
【補正対象書類名】明細書
【補正対象項目名】００２１
【補正方法】変更
【補正の内容】
【００２１】請求項７では、コンプレッサーからの吸気で作動するガスタービンを備え、ガスタービンの燃料に使用する液化燃料の蒸発熱で吸気を冷却するガスタービンプラントにおいて、吸気冷却部において、吸気を一旦冷却した冷却媒体を、温度がより低い冷却媒体と混合し、混合したこの冷却媒体でさらに吸気を冷却することを特徴とするガスタービンプラントからなる。この構成によって、吸気冷却部での冷却媒体循環量を少なくでき、また循環中の冷却媒体の温度を低く保てる。この技術は、シャーベット状態に凍らせて、それを解凍して吸気冷却する際の技術にも使用できる。


【手続補正１１】
【補正対象書類名】明細書
【補正対象項目名】００２２
【補正方法】変更
【補正の内容】
【００２２】請求項８では、コンプレッサーからの吸気で作動するガスタービンを備え、ガスタービンの燃料に使用する液化燃料の蒸発熱で吸気を冷却するガスタービンプラントにおいて、液化燃料蒸発器と第２冷却部及び吸気冷却部を有し、液化燃料蒸発器では液化燃料を蒸発させて冷熱を発生し、第２冷却部では上記冷熱で海水などを冷却し、そして吸気冷却部では上記冷熱で該コンプレッサー吸気を冷却し、液化燃料蒸発器及び第２冷却部で独立した冷却循環経路を有し、第２冷却部の冬期における冷却能力は、吸気冷却部への冷熱供給を停止しても上記冷熱を全量処理できる冷却容量を有し、そして吸気冷却部側は、独立した冷却循環経路を有し、燃料蒸発器からの冷却媒体は、燃料蒸発部と第２冷却部の間の熱交換器で吸気冷却部側へ冷熱を任意配分でき、残冷熱は第２冷却部に供給することを特徴とするガスタービンプラントからなる。


【手続補正１２】
【補正対象書類名】明細書
【補正対象項目名】００２３
【補正方法】変更
【補正の内容】
【００２３】
【発明の実施の形態】図１は本出願における請求項１〜３，５，６の実施の形態である。ＬＮＧ（液化燃料）蒸発器９で冷却した（０℃以下、さらには−２０℃〜−５０℃程度が好ましい）冷却媒体（不凍液／冷媒）は調節弁１４と同１５で配分される。調節弁１４を出た冷却媒体は、冷却管３、混合器７、ポンプ１２からなる吸気冷却部１６に入る。混合器７を出た冷却媒体は０℃程度もしくは０℃より少し高めであり、ポンプ１２で冷却管３に送られる。そして冷却媒体は冷却管３で吸気を冷却して温度は１０℃程度となり、その一部はＬＮＧ蒸発器に送り、残りは混合器７に戻って循環する。冷却媒体としては不凍液（水とアルコール類の混合物など）などを使用する。


【手続補正１３】
【補正対象書類名】明細書
【補正対象項目名】００２５
【補正方法】変更
【補正の内容】
【００２５】図１では、調節弁１４，同１５で冷却媒体流量を任意配分して、各々の循環経路の冷却媒体と混合するので、各冷却部で冷却に供する冷却媒体の温度は、対象流体の凍結温度以上とすることができる。それらの温度は各々独立して設定できる。


【手続補正１４】
【補正対象書類名】明細書
【補正対象項目名】００２９
【補正方法】変更
【補正の内容】
【００２９】図２は本出願における請求項１〜６，９〜１１の実施の形態である。図１との相違点は、吸気冷却側の温度信号で調節弁１４，同１５を調整する点である。図２では制御盤１８を備えており、これにより吸気冷却部（主に冷却管もしくは冷却管を流れる冷却媒体）の温度信号により調節弁１４，同１５の開度を電動で調節して各冷却部へ送る流量を調節する。それによって吸気冷却部の凍結を防止し、かつ吸気冷却温度を限界もしくは限界近傍まで低下できる。また各冷媒流路には当然流量計を設けている。


【手続補正１５】
【補正対象書類名】明細書
【補正対象項目名】００３５
【補正方法】変更
【補正の内容】
【００３５】図６は本出願のおける請求項７の実施の形態である。循環している不凍液は不凍液入口配管７１から冷却管７２内を流れて吸気を冷却する。冷却に使用した不凍液は、ヘッダー７４に入り、この中では不凍液が間接冷却管７５，同７６で冷却される。間接冷却管７５にはＬＮＧを蒸発させて冷却した不凍液が循環している。冷却された循環不凍液は再び吸気を冷却する。なお、間接冷却管７５，同７６の材質は、熱伝導率が大きいものが特に好ましく、銅などが良い。間接冷却管７５，同７６の両側は液体であるので気体と比べて熱伝導には条件が良い。この間接冷却管７５，同７６に銅を使用した場合には、冷却管７２の伝熱面積と比べてもきわめて少ない伝熱面積でも大きな熱伝導を得られる。


【手続補正１６】
【補正対象書類名】明細書
【補正対象項目名】００３８
【補正方法】変更
【補正の内容】
【００３８】図７は本出願における請求項１〜３，５〜７の実施の形態である。図３の経路とは吸気冷却部９５が異なる。ここではポンプ９１で冷却媒体を独立した経路で循環させている。そして調節弁９３を出た極低温（０℃以下、−１０℃以下が好ましい）の冷却媒体をポンプ９１とで循環するものと吸気冷却途中の冷却媒体に混合するものとに分ける。ポンプ９１で冷却管８３に送った冷却媒体は、吸気を冷却して温度が上昇した後に極低温の冷却媒体を混合する。これにより冷却媒体温度を低く保てる。この図では、冷却媒体と吸気の熱交換は向流熱交換であるが、冷却開始と終了とで冷却媒体の温度差を小さくできる。また、この温度差を同一にする場合には冷却管を流れる量を１／２〜数分の１まで大幅に少なくすることもできる。なお循環している冷却媒体には水とエチレングリコール混合液を使用している。


【手続補正１７】
【補正対象書類名】明細書
【補正対象項目名】００３９
【補正方法】変更
【補正の内容】
【００３９】図８は本出願における請求項１〜３，５，６の実施の形態である。
図１とは、１０９ＬＮＧ（液化燃料）蒸発器が異なる。ＬＮＧ（液化燃料）蒸発器１０９では中間冷却媒体（気化・凝縮熱利用）１１０が介在してＬＮＧから冷却媒体に冷熱を移動している。中間冷却媒体１１０の例としてはフロン類、ブタンなどの炭化水素類、アンモニアなどである。なお循環している冷却媒体（不凍液）には水とエチレングリコール混合液を使用している。


【手続補正１８】
【補正対象書類名】明細書
【補正対象項目名】００４０
【補正方法】変更
【補正の内容】
【００４０】図９は本出願における請求項１，５〜８の実施の形態である。図７とは、吸気冷却部１３７側に熱交換器１２９が介在していること及びタンク１３９，１４０を備えていることが異なる。熱交換器１２９があることで、ＬＮＧ冷却側の冷却媒体と吸気冷却部の冷却媒体の種類を分けることができる。例えばＬＮＧ冷却側に可燃性の冷却媒体（水と高濃度アルコールを含む不凍液）を使用し、吸気冷却部の冷却媒体に難燃性の冷却媒体（水と低濃度アルコールを含む不凍液）を使用することができる。一方吸気冷却部タンク１３９，１４０は冷却媒体の供給・貯蔵用であり、他の図にも同様に備えることができる。


【手続補正１９】
【補正対象書類名】明細書
【補正対象項目名】００４２
【補正方法】変更
【補正の内容】
【００４２】図１０は本出願における請求項１，５，６の実施の形態である。図１とは、第２冷却部が異なる。第２冷却部には循環経路が無く、ＬＮＧ蒸発器からの冷却媒体でそのまま冷却する。一方、吸気冷却部１５４には循環経路がある。第２冷却部の熱交換器１４８は海水を冷却しているので、氷点下より少し低い温度（例えば−２℃）を流す場合、海水は凍結しないのでそのまま冷却媒体で冷却できる。一方、吸気冷却部１５４では吸気を冷却する冷却媒体が氷点下より低いと吸気中の水分を凍結させることがあるので、それを避けるために循環経路で温度を高めている。なお循環している冷却媒体（不凍液）には水とエチレングリコール混合液を使用している。


【手続補正２０】
【補正対象書類名】明細書
【補正対象項目名】００４３
【補正方法】変更
【補正の内容】
【００４３】図１１は本出願における請求項１〜６，９〜１１の実施の形態である。図２とは、冷却媒体を配分する機器が異なる。図１１ではポンプ１６１で吸気冷却部側に冷却媒体を送り、ポンプ１６２で第２冷却部側に冷却媒体を送る。これらのポンプ１６１，１６２の吐出量（ポンプ回転数）を変えることで、冷却媒体の配分比率を変える。ポンプの片方を停止すれば、その側への冷却媒体の送りを停止できる。なお循環している冷却媒体（不凍液）には水とエチレングリコール混合液を使用している。


【手続補正２１】
【補正対象書類名】明細書
【補正対象項目名】００４４
【補正方法】変更
【補正の内容】
【００４４】図１２は本出願における請求項５，８，１２の実施の形態である。ＬＮＧ（液化燃料）蒸発器１７８で冷却した（０℃以下、さらには−２０℃〜−５０℃程度が好ましい）冷却媒体（不凍液／冷媒）は、熱交換器１７９で吸気冷却部１８６に配分される。熱交換器１７９を出た冷却媒体は、０℃程度もしくは０℃より少し高めであり、ポンプ１８２で冷却管１７３に送られる。そして冷却媒体は冷却管１７３で吸気を冷却して温度は１０℃程度となり、熱交換器１７９に戻る。なお吸気冷却部１８６は独立した冷却媒体循環経路を有する。冷却媒体としては水とアルコール類又はグリコール類との混合物等がある。


【手続補正２２】
【補正対象書類名】明細書
【補正対象項目名】００４６
【補正方法】変更
【補正の内容】
【００４６】また調節弁１８４，１８５はバイパス路の流量を調節する。調節弁１８４を全開すると、冷熱のほとんどを第２冷却部に供給でき、また調節弁１８５を全開すると冷熱のほとんどを吸気冷却部に供給できる。


【手続補正２３】
【補正対象書類名】明細書
【補正対象項目名】００４７
【補正方法】変更
【補正の内容】
【００４７】図１３は請求項７の効果を説明する図である。（１）従来技術では吸気冷却部の冷却管を流れる冷媒はその移動と共に温度が上昇していた。しかし、本出願の技術では、冷却管を流れる冷却媒体は、途中のヘッダー部でより低温の冷却媒体と混合又は熱交換するので、吸気を冷却している間での冷却媒体の温度上昇を少なく出来る。これにより吸気を冷却する冷却管での冷却効率を上げることが出来る。


【手続補正２４】
【補正対象書類名】明細書
【補正対象項目名】００５１
【補正方法】変更
【補正の内容】
【００５１】
【発明の効果】本出願では次の効果が得られる。（１）ＬＮＧ蒸発器が１系列で最小の１台で済みしかも容積を小さくできる。（２）ＬＮＧ蒸発器に冷却媒体を循環させるポンプの容量を小さくでき、配管も小さくできる。（３）吸気冷却部で循環している冷却媒体の温度を低く保てる、あるいはその流量を少なくできる。
【図面の簡単な説明】
【図１】請求項１〜３，５，６の実施の形態である。
【図２】請求項１〜６，９〜１１の実施の形態である。
【図３】請求項１〜３，５〜７の実施の形態である。
【図４】請求項７の実施の形態である。
【図５】請求項７の実施の形態である。
【図６】請求項７の実施の形態である。
【図７】請求項１〜３，５〜７の実施の形態である。
【図８】請求項１〜３，５，６の実施の形態である。
【図９】請求項１〜３，５〜８の実施の形態である。
【図１０】請求項１，５，６の実施の形態である。
【図１１】請求項１〜６，９〜１１の実施の形態である。
【図１２】請求項５，８，１２の実施の形態である。
【図１３】請求項７の効果を説明する図である。
【符号の説明】
１，３１，５１，８１，１０１，１２１，１４１，１７１  吸気室
２，３２，８２，１０２，１２２，１４２，１７２  フィルター
３，３３，５３，６５，７２，８３，１０３，１２３，１４３，１７３  冷却管
４，３４，８４，１０４，１２４，１４４，１７４  サイレンサー
５，３５，８５，１０５，１２５，１４５，１７５  コンプレッサー
６，３６，８６，１０６，１２６，１４６，１７６  ガスタービン
７，８，３７，８７，１０７，１０８，１２７，１７７  混合器
９，３８，８８，１０９，１２８，１４７，１７８  ＬＮＧ蒸発器
１０，３９，８９，１１１，１２９，１３０，１４８，１７９，１８０  熱交換器
１１〜１３，４１〜４２，５４，９０〜９２，１１２〜１１４，１３１〜１３４，１４９〜１５０，１６１，１６２，１８１，１８２，１８３  ポンプ
１４，１５，４３，４４，５５，９３，９４，１１５，１１６，１３５，１３６，１５２，１５３，１８４，１８５  調節弁
１６，４５，９５，１１７，１３７，１５４，１８６  吸気冷却部
１７，４６，９６，１１８，１３８，１５５，１８７  第２冷却部
１８  制御盤
１９  温度信号
２０  弁開度信号
５２，６１，７４  ヘッダー
６２，７７  連通管
６３，６４  極低温管
７１  不凍液入口配管
７３  フィン
７５，７６  間接冷却管
７８  不凍液出口配管
１１０  中間冷媒
１３９，１４０  タンク
１６３  ポンプ回転数信号
【手続補正２５】
【補正対象書類名】図面
【補正対象項目名】図１１
【補正方法】変更
【補正の内容】
【図１１】
2001303970.tif 000001